(57)【要約】      （修正有）【課題】柔軟に調節でき、すべての患者の使用に満足でき、患者がトイレを使う時に血液が注入管に戻ることを防止する医用塩水袋昇降掛け装置を提供する。【解決手段】軌道レバー１、定滑車２、およびハンドル３を含み、軌道レバー１の表面にスライドレール１０１があり、スライドレール１０１にスライド４が組み合わせ、スライド４の上部にスルーホール４０１が設置され、スルーホール４０１の中に綱５が組み合わせ、綱５が定滑車２によるハンドル３に組み合わせ、定滑車２が接続部２０１と支持部２０２を含み、支持部２０２が綱５に合わせる溝を有し、ハンドル３が第一接続部３０１、回転軸３０２、固定軸３０３、レバー３０４と取っ手３０５を含み、固定軸３０３が第一接続部３０１に固定的に設置され、回転軸３０２が固定軸３０３に活動的に設置され、レバー３０４が回転軸３０２の外表面に設置される。【選択図】図１
0003198668.tif 000002
【実用新案登録請求の範囲】
【請求項１】
医用塩水袋昇降掛け装置において、軌道レバー、定滑車、およびハンドルを含み、前記軌道レバーの表面にT字形スライドレールがあり、前記スライドレールにスライドが組み合わされ、前記スライドの上部にスルーホールが設置され、前記スルーホールの中に綱が組み合わされ、前記綱が定滑車によって前記ハンドルに組み合わされ、前記定滑車が接続部と支持部を含み、前記接続部と壁の間にねじが設置され、前記支持部が前記綱に合わせる溝を有し、前記ハンドルが第一接続部、回転軸、固定軸、レバーと取っ手を含み、前記第一接続部と壁の間に第一ねじが設置され、前記固定軸が前記第一接続部に固定的に設置され、前記回転軸が前記固定軸に活動的に設置され、前記レバーが前記回転軸の外表面に設置され、前記取っ手が前記レバーの一端に固定され、前記取っ手が前記レバーと直交し、前記綱が前記回転軸の外表面に巻き付かれていることを特徴とする医用塩水袋昇降掛け装置。
【請求項２】
請求項１に記載の医用塩水袋昇降掛け装置において、前記スライドレールの両端に近いところに壁を接続するための第二ねじが設置されることを特徴とする医用塩水袋昇降掛け装置。
【請求項３】
請求項１に記載の医用塩水袋昇降掛け装置において、前記軌道レバーの両端は円弧を描くように移動することを特徴とする医用塩水袋昇降掛け装置。
【請求項４】
請求項１に記載の医用塩水袋昇降掛け装置において、前記溝の深さは前記綱の直径により大きいことを特徴とする医用塩水袋昇降掛け装置。
【考案の詳細な説明】
【技術分野】
【０００１】
本発明は医用塩水袋昇降掛け装置に関する。
【背景技術】
【０００２】
患者は点滴中に、塩水の反映による、常にトイレを使うことが必要で、現存トイレの中で、多くのはただ簡単なホックを設置され、背が低い人を使いやすいため、ホックは普通、低く設置され、患者がトイレを使う時に、塩水袋の掛け高さが低すぎ、それによって、血液が逆に注入管に戻る、患者に恐慌の心理をもたらしやすい。
【０００３】
上記問題に基づいて、塩水袋の掛ける位置を調節しやすい掛け装置の提供が必要で、患者の血液が逆に注入管に戻ることを防止する。
【考案の概要】
【考案が解決しようとする課題】
【０００４】
本発明の解決するべき技術の問題は医用塩水袋昇降掛け装置を提供し、該装置が掛け高さに対する柔軟に調節でき、すべての患者の使用に満足でき、患者がトイレを使う時に血液が逆に注入管に戻ることを防止し、患者に恐慌の心理をもたらすことを防止する。
【課題を解決するための手段】
【０００５】
上記問題を解決するため、本発明は以下の技術方案を採用する：
医用塩水袋昇降掛け装置は、軌道レバー、配向滑車、およびハンドルを含み、前記軌道レバーの表面にT字形スライドレールがあり、前記スライドレールにスライドが組み合わせ、前記スライドの上部にスルーホールが設置され、前記スルーホールの中に綱が組み合わせ、前記綱が定滑車による前記ハンドルに組み合わせ、前記定滑車が接続部と支持部を含み、前記接続部と壁の間にねじが設置され、前記支持部が前記綱に合わせる溝を有し、前記ハンドルが第一接続部、回転軸、固定軸、レバーと取っ手を含み、前記第一接続部と壁の間に第一ねじが設置され、前記固定軸が前記第一接続部に固定的に設置され、前記回転軸が前記固定軸に活動的に設置され、前記レバーが前記回転軸の外表面に設置され、前記取っ手が前記レバーから回転軸を遠く離れる一端に固定され、前記取っ手が前記レバーと垂直し、前記綱が前記回転軸の外表面に巻き付かれている。
【０００６】
最適化する技術の方案として、前記スライドレールの両端に近いところに壁を接続するための第二ねじが設置される。
【０００７】
最適化する技術の方案として、前記軌道レバーの両端は円弧で移行する。
【０００８】
最適化する技術の方案として、前記溝の深さは前記綱の直径により大きい。
【考案の効果】
【０００９】
本発明の役立つ効果は以下のとうりである：該装置が掛け高さに対する柔軟に調節でき、すべての患者の使用に満足でき、患者がトイレを使う時に血液が逆に注入管に戻ることを防止し、患者に恐慌の心理をもたらすことを防止する。同時に、本装置はとても取り付けやすく、使いやすく、普及に適合する。
【図面の簡単な説明】
【００１０】
【図１】本発明の構造略図。
【考案を実施するための形態】
【００１１】
次に、付図に合わせて、本発明の最適する実施案を詳しく述べて、本発明の長所と特徴を本分野の技術者にもっと理解されやすく、それによって、本発明の保護範囲をもっとはっきり明確に定義する。
【００１２】
図１に示す医用傷口分け装置は、軌道レバー１、配向滑車２、およびハンドル３を含み、前記軌道レバー１の表面にT字形スライドレール１０１があり、前記スライドレール１０１にスライド４が組み合わせ、前記スライド４の上部にスルーホール４０１が設置され、前記スルーホール４０１の中に綱５が組み合わせ、前記綱５が定滑車２による前記ハンドル３に組み合わせ、前記定滑車２が接続部２０１と支持部２０２を含み、前記接続部２０１と壁の間にねじ２０３が設置され、前記支持部２０２が前記綱５に合わせる溝を有し、前記ハンドル３が第一接続部３０１、回転軸３０２、固定軸３０３、レバー３０４と取っ手３０５を含み、前記第一接続部３０１と壁の間に第一ねじ３０６が設置され、前記固定軸３０３が前記第一接続部３０１に固定的に設置され、前記回転軸３０２が前記固定軸３０３に活動的に設置され、前記レバー３０４が前記回転軸３０２の外表面に設置され、前記取っ手３０５が前記レバー３０４から回転軸３０２を遠く離れる一端に固定され、前記取っ手３０５が前記レバー３０４と垂直し、前記綱５が前記回転軸３０２の外表面に巻き付かれている。
【００１３】
本発明に良い実施案がある：前記スライドレール１０１の両端に近いところに壁を接続するための第二ねじ１０１が設置される。
【００１４】
本発明に良い実施案がある：前記軌道レバーの両端は円弧で移行する。
【００１５】
本発明に良い実施案がある：前記溝の深さは前記綱の直径により大きい。
【００１６】
本発明の役立つ効果は以下のとうりである：該装置が掛け高さに対する柔軟に調節でき、すべての患者の使用に満足でき、患者がトイレを使う時に血液が逆に注入管に戻ることを防止し、患者に恐慌の心理をもたらすことを防止する。同時に、本装置はとても取り付けやすく、使いやすく、普及に適合する。
【００１７】
以上述べたのはただ本発明の具体的な実施方法、但し、本発明の保護範囲はこれだけではなく、何か創造的労働を通じない労働と替えが必ず本発明の保護範囲に含まれべきだ。したがって、本発明の保護範囲は権利請求書に限定される保護範囲を準ずる。 
【符号の説明】
【００１８】
１  軌道レバー
２  配向滑車
３  ハンドル
４  スライド
５  綱
【図１】
0003198668.tif 000003
【手続補正書】
【提出日】平成27年5月12日(2015.5.12)
【手続補正１】
【補正対象書類名】実用新案登録請求の範囲
【補正対象項目名】全文
【補正方法】変更
【補正の内容】
【実用新案登録請求の範囲】
【請求項１】
医用塩水袋昇降掛け装置において、軌道レバー、定滑車、およびハンドルを含み、前記軌道レバーの表面にT字形スライドレールがあり、前記スライドレールにスライドが組み合わされ、前記スライドの上部にスルーホールが設置され、前記スルーホールの中に綱が組み合わされ、前記綱が定滑車によって前記ハンドルに組み合わされ、前記定滑車が接続部と支持部を含み、前記接続部と壁の間にねじが設置され、前記支持部が前記綱に合わせる溝を有し、前記ハンドルが第一接続部、回転軸、固定軸、レバーと取っ手を含み、前記第一接続部と壁の間に第一ねじが設置され、前記固定軸が前記第一接続部に固定的に設置され、前記回転軸が前記固定軸に活動的に設置され、前記レバーが前記回転軸の外表面に設置され、前記取っ手が前記レバーの一端に固定され、前記取っ手が前記レバーと直交し、前記綱が前記回転軸の外表面に巻き付かれていることを特徴とする医用塩水袋昇降掛け装置。
【請求項２】
請求項１に記載の医用塩水袋昇降掛け装置において、前記スライドレールの両端に近いところに壁を接続するための第二ねじが設置されることを特徴とする医用塩水袋昇降掛け装置。
【請求項３】
請求項１に記載の医用塩水袋昇降掛け装置において、前記溝の深さは前記綱の直径により大きいことを特徴とする医用塩水袋昇降掛け装置。